(57)【要約】【課題】原本では目立たない画像が複写物で出現する印刷に、より柔軟性を持たせられるようにする。【解決手段】印刷システムは、対象画像を示すパラメータ値を格納する対象パラメータ領域を含む印刷用データを取得する。また、前記印刷システムは、前記対象パラメータ領域に設定されるパラメータ値を複数取得する。また、前記印刷システムは、得られたパラメータ値毎に、当該パラメータ値を前記対象パラメータ領域に格納した前記印刷用データに基づいて印刷を行う。印刷システムは、前記パラメータ値の印刷、及び、前記パラメータ値の印刷に対する背景領域の印刷のうちいずれか一方を、複写機が複写可能な大きさよりも小さい点画像の集合体の印刷で行い、もう一方を、複写機が複写可能な大きさの点画像の集合体の印刷で行うことによる潜像化を行う。【選択図】図１
2018020501.tif 000002
【特許請求の範囲】
【請求項１】
印刷システムが、潜像化対象画像を示すパラメータ値を格納する対象パラメータ領域を含む印刷用データを取得する印刷用データ取得ステップと、
前記印刷システムが、前記対象パラメータ領域に設定されるパラメータ値を複数取得するパラメータ値取得ステップと、
前記印刷システムが、得られたパラメータ値毎に、当該パラメータ値を前記対象パラメータ領域に格納した前記印刷用データに基づいて印刷を行う印刷ステップと、
を含み、
前記印刷ステップにて、前記パラメータ値の印刷、及び、前記パラメータ値の印刷に対する背景領域の印刷のうちいずれか一方を、複写機が複写可能な大きさよりも小さい点画像の集合体の印刷で行い、もう一方を、複写機が複写可能な大きさの点画像の集合体の印刷で行うことによる潜像化を行う
印刷物生産方法。
【請求項２】
前記印刷ステップにて、前記パラメータ値を潜像で印刷する位置と異なる位置に前記パラメータ値を実像でさらに印刷する、
請求項１に記載の印刷物生産方法。
【請求項３】
前記パラメータ値取得ステップにて、前記印刷ステップで印刷する印刷物を識別する識別情報である前記パラメータ値を取得する、請求項１又は請求項２に記載の印刷物生産方法。
【請求項４】
前記パラメータ値取得ステップにて、前記印刷ステップで印刷する印刷物の有効期限を示す前記パラメータ値を取得する、請求項１から３のいずれか一項に記載の印刷物生産方法。
【請求項５】
前記パラメータ値取得ステップにて、印刷年月日を示す前記パラメータ値を取得する、請求項１から４のいずれか一項に記載の印刷物生産方法。
【請求項６】
前記パラメータ値取得ステップにて、金額を示す前記パラメータ値を取得し、
前記印刷ステップにて金券を印刷する、
請求項１から５のいずれか一項に記載の印刷物生産方法。
【請求項７】
前記パラメータ値取得ステップにて、クーポン券による特典内容を示す前記パラメータ値を取得し、
前記印刷ステップにてクーポン券を印刷する、
請求項１から５のいずれか一項に記載の印刷物生産方法。
【請求項８】
前記パラメータ値取得ステップにて、くじの当たり又は外れを示す前記パラメータ値を取得し、
前記印刷ステップにてくじを印刷する、
請求項１から５のいずれか一項に記載の印刷物生産方法。
【請求項９】
前記パラメータ値取得ステップにて、バーコードを示す前記パラメータ値を取得する、請求項１から８のいずれか一項に記載の印刷物生産方法。
【請求項１０】
前記印刷ステップでは、複写機が複写可能な大きさよりも小さい点画像の集合体の印刷を誤差拡散法で行い、複写機が複写可能な大きさの点画像の集合体の印刷を網点の印刷で行う、請求項１から９のいずれか１項に記載の印刷物生産方法。
【請求項１１】
潜像化対象画像、及び、前記潜像化対象画像に対する背景領域のうちいずれか一方を、複写機が複写可能な大きさよりも小さい点画像の集合体にて誤差拡散法を用いて印刷し、もう一方を、複写機が複写可能な大きさの点画像による網点にて印刷することによる潜像化を行う、印刷物生産方法。
【請求項１２】
潜像化対象画像を示すパラメータ値を格納する対象パラメータ領域を含む印刷用データを取得する印刷用データ取得部と、
前記対象パラメータ領域に設定されるパラメータ値を複数取得するパラメータ値取得部と、
得られたパラメータ値毎に、当該パラメータ値を前記対象パラメータ領域に格納した前記印刷用データに基づいて印刷を行う印刷部と、
を備え、
前記印刷部は、前記パラメータ値の印刷、及び、前記パラメータ値の印刷に対する背景領域の印刷のうちいずれか一方を、複写機が複写可能な大きさよりも小さい点画像の集合体の印刷で行い、もう一方を、複写機が複写可能な大きさの点画像の集合体の印刷で行うことによる潜像化を行う
印刷システム。
【請求項１３】
潜像化対象画像を示すパラメータ値を格納する対象パラメータ領域を含む印刷用データを取得する印刷用データ取得部と、
前記対象パラメータ領域に設定されるパラメータ値を複数取得するパラメータ値取得部と、
得られたパラメータ値毎に、当該パラメータ値を前記対象パラメータ領域に格納した前記印刷用データに基づいてプリンタを制御して印刷を行わせる印刷制御部と、
を備え、
前記印刷制御部は、前記プリンタを制御して、前記パラメータ値の印刷、及び、前記パラメータ値の印刷に対する背景領域の印刷のうちいずれか一方を、複写機が複写可能な大きさよりも小さい点画像の集合体の印刷で行わせ、もう一方を、複写機が複写可能な大きさの点画像の集合体の印刷で行わせることによる潜像化を行う
印刷制御装置。
【請求項１４】
コンピュータに、
潜像化対象画像を示すパラメータ値を格納する対象パラメータ領域を含む印刷用データを取得する印刷用データ取得ステップと、
前記対象パラメータ領域に設定されるパラメータ値を複数取得するパラメータ値取得ステップと、
得られたパラメータ値毎に、当該パラメータ値を前記対象パラメータ領域に格納した前記印刷用データに基づいてプリンタを制御して印刷を行わせる印刷制御ステップと、
を実行させ、
前記印刷制御ステップでは、前記プリンタを制御して、前記パラメータ値の印刷、及び、前記パラメータ値の印刷に対する背景領域の印刷のうちいずれか一方を、複写機が複写可能な大きさよりも小さい点画像の集合体の印刷で行わせ、もう一方を、複写機が複写可能な大きさの点画像の集合体の印刷で行わせることによる潜像化を行わせる
ためのプログラム。
【発明の詳細な説明】
【技術分野】
【０００１】
本発明は、印刷物生産方法、印刷システム、印刷制御装置及びプログラムに関する。
【背景技術】
【０００２】
複写機が原本を走査する解像度の限界を利用して、原本では目立たない画像を複写物で出現させる方法が知られており、関連する技術が提案されている。
例えば、特許文献１に記載の偽造防止印刷物では、色の異なる第１のインキ及び第２のインキを用いて偽造防止印刷を行い、第２のインキで複写再現能力に満たない小さい点の集合体を刷り合わせる。その複写物上には、第１のインキと第２のインキとの合成色中より、第１のインキで潜像若しくは背景が現れる。
【先行技術文献】
【特許文献】
【０００３】
【特許文献１】特開２００５−８８２７６号公報
【発明の概要】
【発明が解決しようとする課題】
【０００４】
原本では目立たない画像が複写物で出現する印刷によって、原本と複写物との区別が容易になり、不正な複写を検出することができる。この印刷に柔軟性を持たせることが出来れば、さらに、原本と複写物との区別以外の用途にも用いることができる。
【０００５】
本発明は、原本では目立たない画像が複写物で出現する印刷に、より柔軟性を持たせることができる印刷物生産方法、印刷システム、印刷制御装置及びプログラムを提供する。
【課題を解決するための手段】
【０００６】
本発明の第１の態様によれば、印刷物生産方法は、印刷システムが、潜像化対象画像を示すパラメータ値を格納する対象パラメータ領域を含む印刷用データを取得する印刷用データ取得ステップと、前記印刷システムが、前記対象パラメータ領域に設定されるパラメータ値を複数取得するパラメータ値取得ステップと、前記印刷システムが、得られたパラメータ値毎に、当該パラメータ値を前記対象パラメータ領域に格納した前記印刷用データに基づいて印刷を行う印刷ステップと、を含み、前記印刷ステップにて、前記パラメータ値の印刷、及び、前記パラメータ値の印刷に対する背景領域の印刷のうちいずれか一方を、複写機が複写可能な大きさよりも小さい点画像の集合体の印刷で行い、もう一方を、複写機が複写可能な大きさの点画像の集合体の印刷で行うことによる潜像化を行う。
【０００７】
前記印刷ステップにて、前記パラメータ値を潜像で印刷する位置と異なる位置に前記パラメータ値を実像でさらに印刷するようにしてもよい。
【０００８】
前記パラメータ値取得ステップにて、前記印刷ステップで印刷する印刷物を識別する識別情報である前記パラメータ値を取得するようにしてもよい。
【０００９】
前記パラメータ値取得ステップにて、前記印刷ステップで印刷する印刷物の有効期限を示す前記パラメータ値を取得するようにしてもよい。
【００１０】
前記パラメータ値取得ステップにて、印刷年月日を示す前記パラメータ値を取得するようにしてもよい。
【００１１】
前記パラメータ値取得ステップにて、金額を示す前記パラメータ値を取得し、前記印刷ステップにて金券を印刷するようにしてもよい。
【００１２】
前記パラメータ値取得ステップにて、クーポン券による特典内容を示す前記パラメータ値を取得し、前記印刷ステップにてクーポン券を印刷するようにしてもよい。
【００１３】
前記パラメータ値取得ステップにて、くじの当たり又は外れを示す前記パラメータ値を取得し、前記印刷ステップにてくじを印刷するようにしてもよい。
【００１４】
前記パラメータ値取得ステップにて、バーコードを示す前記パラメータ値を取得するようにしてもよい。
【００１５】
前記印刷ステップでは、複写機が複写可能な大きさよりも小さい点画像の集合体の印刷を誤差拡散法で行い、複写機が複写可能な大きさの点画像の集合体の印刷を網点の印刷で行うようにしてもよい。
【００１６】
本発明の第２の態様によれば、印刷物生産方法は、潜像化対象画像、及び、前記潜像化対象画像に対する背景領域のうちいずれか一方を、複写機が複写可能な大きさよりも小さい点画像の集合体にて誤差拡散法を用いて印刷し、もう一方を、複写機が複写可能な大きさの点画像による網点にて印刷することによる潜像化を行う。
【００１７】
本発明の第３の態様によれば、印刷システムは、潜像化対象画像を示すパラメータ値を格納する対象パラメータ領域を含む印刷用データを取得する印刷用データ取得部と、前記対象パラメータ領域に設定されるパラメータ値を複数取得するパラメータ値取得部と、得られたパラメータ値毎に、当該パラメータ値を前記対象パラメータ領域に格納した前記印刷用データに基づいて印刷を行う印刷部と、を備え、前記印刷部は、前記パラメータ値の印刷、及び、前記パラメータ値の印刷に対する背景領域の印刷のうちいずれか一方を、複写機が複写可能な大きさよりも小さい点画像の集合体の印刷で行い、もう一方を、複写機が複写可能な大きさの点画像の集合体の印刷で行うことによる潜像化を行う。
【００１８】
本発明の第４の態様によれば、印刷制御装置は、潜像化対象画像を示すパラメータ値を格納する対象パラメータ領域を含む印刷用データを取得する印刷用データ取得部と、前記対象パラメータ領域に設定されるパラメータ値を複数取得するパラメータ値取得部と、得られたパラメータ値毎に、当該パラメータ値を前記対象パラメータ領域に格納した前記印刷用データに基づいてプリンタを制御して印刷を行わせる印刷制御部と、を備え、前記印刷制御部は、前記プリンタを制御して、前記パラメータ値の印刷、及び、前記パラメータ値の印刷に対する背景領域の印刷のうちいずれか一方を、複写機が複写可能な大きさよりも小さい点画像の集合体の印刷で行わせ、もう一方を、複写機が複写可能な大きさの点画像の集合体の印刷で行わせることによる潜像化を行う。
【００１９】
本発明の第５の態様によれば、プログラムは、コンピュータに、潜像化対象画像を示すパラメータ値を格納する対象パラメータ領域を含む印刷用データを取得する印刷用データ取得ステップと、前記対象パラメータ領域に設定されるパラメータ値を複数取得するパラメータ値取得ステップと、得られたパラメータ値毎に、当該パラメータ値を前記対象パラメータ領域に格納した前記印刷用データに基づいてプリンタを制御して印刷を行わせる印刷制御ステップと、を実行させ、前記印刷制御ステップでは、前記プリンタを制御して、前記パラメータ値の印刷、及び、前記パラメータ値の印刷に対する背景領域の印刷のうちいずれか一方を、複写機が複写可能な大きさよりも小さい点画像の集合体の印刷で行わせ、もう一方を、複写機が複写可能な大きさの点画像の集合体の印刷で行わせることによる潜像化を行わせるためのプログラムである。
【発明の効果】
【００２０】
本発明によれば、原本では目立たない画像が複写物で出現する印刷に、より柔軟性を持たせることができる。
【図面の簡単な説明】
【００２１】
【図１】本発明の一実施形態に係る印刷システムの機能構成を示す概略ブロック図である。
【図２】同実施形態に係る印刷システムによる印刷物の複写物の例を示す図である。
【図３】同実施形態に係る印刷システムが印刷した商品券の原本が変造された例を示す図である。
【図４】同実施形態に係る原本を複写した複写物の例を示す図である。
【図５】同実施形態に係る記憶部が記憶する印刷用データのデータ構造の例を示す図である。
【図６】同実施形態に係る対象パラメータ領域が明示されたデータ構造の例を示す図である。
【図７】同実施形態に係るプリンタが潜像領域及び背景領域に印刷するパタンの例を示す図である。
【図８】同実施形態に係る印刷システムが用いる誤差拡散法における誤差の拡散係数の例を示す図である。
【図９】同実施形態に係る印刷システムが印刷したくじの原本を複写機で複写した例を示す図である。
【図１０】同実施形態に係る印刷システムが画像の印刷を行う処理手順の例を示すフローチャートである。
【発明を実施するための形態】
【００２２】
以下、本発明の実施形態を説明するが、以下の実施形態は特許請求の範囲にかかる発明を限定するものではない。また、実施形態の中で説明されている特徴の組み合わせの全てが発明の解決手段に必須であるとは限らない。
図１は、本発明の一実施形態に係る印刷システムの機能構成を示す概略ブロック図である。図１に示すように、印刷システム１は、印刷制御装置１００と、プリンタ２００とを備える。印刷制御装置１００は、通信部１１０と、表示部１２０と、操作入力部１３０と、記憶部１８０と、制御部１９０とを備える。制御部１９０は、印刷用データ取得部１９１と、印刷制御部１９３とを備える。印刷用データ取得部１９１は、パラメータ値取得部１９２を備える。
【００２３】
印刷システム１は、印刷制御装置１００がプリンタ２００を制御することにより各種印刷を行う。特に、印刷制御装置１００は、原本では目立たない画像が複写物で出現するように印刷を行う。
以下では、原本では目立たない画像が複写物で出現することを顕像化と称する。また、顕像化の対象となる画像を潜像と称し、潜像が印刷された領域を潜像領域と称する。また、画像を潜像として印刷することを潜像化と称する。複写（コピー）によって潜像が白抜けして顕像化するようにしもよいし、潜像の周囲が白抜けすることで潜像が顕像化するようにしてもよい。
潜像が顕像化する態様は白抜けに限らない。複写によって一部の色のみが抜け、潜像領域の色と潜像領域の周囲の領域の色とが異なる色となることで潜像が顕像化するようにしてもよい。以下では、白抜けと一部の色のみの抜けとを総称して色抜けと表記する。
【００２４】
また、潜像とは異なり原本で目視可能に（比較的目立つように）印刷された画像を実像と称し、実像が印刷された領域を実像領域と称する。
また、印刷範囲のうち潜像領域及び実像領域以外の領域を背景領域と称する。潜像領域の色と背景領域の色とが同じ色に見えるように印刷することで、原本では潜像が目立たない。一方、複写によって潜像領域または背景領域のいずれか一方のみが色抜けすることで、潜像が顕像化する。
なお、ここでいう色は、色相と明度と彩度との総合である。特に、ここでいう色は色合いだけでなく色の濃さをも意味する。
【００２５】
図２は、印刷システム１による印刷物の複写物（コピー）の例を示す図である。図２の例では、印刷システム１は、地域振興券のような商品券（金券）を印刷している。図２では、印刷システム１が１枚の紙に４枚分の商品券を印刷した例を示しており、領域Ａ１１０、Ａ１２０、Ａ１３０、Ａ１４０の各々が１枚分の商品券に相当する。
各商品券に、当該商品券の金額（額面）と、識別情報と、有効期限とが印刷されている。例えば、領域Ａ１１０内では、領域Ａ１１１内、Ａ１１２内に金額がそれぞれ実像、潜像で表示されている。また、領域Ａ１１３内、Ａ１１４内に識別情報がそれぞれ実像、潜像で表示されている。また、領域Ａ１１５内に有効期限が印刷されている。
【００２６】
印刷システム１は、これら商品券に印刷される情報のうち、金額と識別情報とを商品券毎に設定し印刷する。
例えば、領域Ａ１２０内では、領域Ａ１２１内、Ａ１２２内に金額がそれぞれ実像、潜像で表示されている。金額が実像及び潜像で印刷される点は、領域Ａ１１０内の領域Ａ１１１内及びＡ１１２内と同様である。一方、領域Ａ１１０とＡ１２０とでは、金額が異なる。領域Ａ１１０では印刷された金額が５００円であるのに対し、領域Ａ１２０では１０００円である。
【００２７】
また、領域Ａ１２０内では、領域Ａ１２３内、Ａ１２４内に識別情報がそれぞれ実像、潜像で表示されている。識別情報が実像及び潜像で印刷される点は、領域Ａ１１０内の領域Ａ１１３内及びＡ１１４内と同様である。一方、領域Ａ１１０とＡ１２０とでは、各商品券を識別するために識別情報の値が異なる。領域Ａ１１０では印刷された識別情報の値が「Ｔ１２３０００２１１」であるのに対し、領域Ａ１１０では「Ｔ１２３０００２２７」である。
【００２８】
このように、印刷システム１が、１つの商品券に同一の金額を実像と潜像とで印刷することで、商品券の原本に対する変造を検出できる可能性が高くなる。特に、印刷システム１が、金額を潜像で印刷することで、商品券の原本に対する変造を検出できる可能性が高くなる。
図３は、印刷システム１が印刷した商品券の原本が変造された例を示す図である。図３の例では、領域Ａ２１１内に印刷された実像が「１」から「４」に変造されている。これにより、商品券の金額が１０００円から４０００円へと不正に改ざんされている。
【００２９】
図４は、図３の原本を複写した複写物の例を示す図である。図３の例での原本の改ざんにより、図４の領域Ａ２２１内に印刷された実像は「４」になっている。一方、図４の例では、潜像で印刷された金額が顕像化している。特に、領域Ａ２２２内には「１」が白抜けで印刷されており、顕像化した画像（顕像化した潜像）が改ざん前の金額１０００円を示している。
印刷システム１が印刷した原本を受け取った者は、潜像と顕像化させて実像と比較することで、改ざんを検出できる。潜像の顕像化は、複写機で原本を複写するなど機械で原本を走査することによって生じる。
例えば、図３の商品券の原本を受取った者は、この原本を複写機で複写することで、図４の複写物を得る。そして、この者は、図４の複写物で実像が示す金額４０００円と潜像が示す金額１０００円とが異なることを検出することで、原本が改ざんされたことを検出することができる。
【００３０】
ここで、潜像の改ざんは、実像の改ざんよりも困難と考えられる。具体的には、印刷システム１は、潜像領域及び背景領域のうちいずれか一方に、複写機が複写可能な大きさよりも小さい点画像の集合体を印刷し、もう一方に複写機が複写可能な大きさの点画像の集合体を印刷する。ここでいう点画像は、人間が通常の見方で形状を認識しない大きさの画像である。
潜像領域及び背景領域には、点画像の集合体が印刷されており、色及び濃度の見え方を変えずに改ざんすることは、実像の改ざんよりも困難と考えられる。従って、改ざん者が実像、潜像共に改ざんすることは、実像のみを改ざんするよりも困難である。この点で、印刷システム１が、金額等を潜像で印刷することで、改ざんに対する抑止効果を得られる。また、印刷システム１が、金額等、同一の内容を実像と潜像とで印刷することで、改ざんに対する抑止効果を得られ、かつ、印刷物の原本を見た者が、複写等を行わなくとも内容を把握することができる。
【００３１】
印刷制御装置１００は、印刷用データを取得し、プリンタ２００を制御して印刷を実行させる。印刷制御装置１００は、例えばパソコン（Personal Computer）などの汎用コンピュータを用いて構成される。あるいは、印刷制御装置１００が、ＡＳＩＣ（Application Specific Integrated Circuit）にて専用のロジックを組んで構成されるなど、印刷制御装置１００専用のハードウェアを用いて構成されていてもよい。
【００３２】
通信部１１０は、他の装置と通信を行う。通信部１１０が行う通信は、例えばＵＳＢ（Universal Serial Bus）フラッシュメモリ（Flash Memory）へのアクセスなど記憶デバイスへのアクセスであってもよい。
表示部１２０は、例えば液晶パネル又はＬＥＤ（Light Emitting Diode、発光ダイオード）パネルなどの表示画面を備え、各種画像を表示する。特に、表示部１２０は、印刷制御装置１００が描画操作を受けて印刷用データを生成する際に、描画操作に応じた画像を表示する。
操作入力部１３０は、例えばキーボード及びマウスなどの入力デバイスを備え、ユーザ操作を受ける。特に、操作入力部１３０は、印刷制御装置１００が描画操作を受けて印刷用データを生成する際に、描画操作を受ける。
【００３３】
記憶部１８０は、印刷制御装置１００が備える記憶デバイスを用いて構成され、各種データを記憶する。特に、記憶部１８０は、印刷制御装置１００がプリンタ２００に印刷を行わせるための印刷用データを記憶する。
図５は、記憶部１８０が記憶する印刷用データのデータ構造の例を示す図である。図５の例の印刷用データは、各オブジェクトのデータ領域と、潜在画像領域の色のデータ領域と、背景領域の色のデータ領域とを含んでいる。
【００３４】
図５の例で、行Ｌ１１１〜Ｌ１１３の各々が、１つのオブジェクトのデータ領域に該当する。オブジェクトのデータ領域で、「タイプ」欄の値は、文字列、長方形、円、線などオブジェクトのタイプ（種類）を示す。
「色」欄の値は、オブジェクトの色を示す。図５の例では、潜在画像として印刷されるオブジェクトの「色」欄には、潜在画像であることを示す値が格納されている。潜在画像の色は、１つの印刷用データ内では一意に定められている。また、図５の例では、背景領域として印刷されるオブジェクトの「色」さんには、背景領域であることを示す値が格納されている。背景領域の色は、１つの印刷用データ内では一意に定められている。
【００３５】
「引数」欄には、オブジェクトのタイプ毎に定められた項目の情報が格納される。「引数」欄には、オブジェクトの位置、大きさ、レイヤー（階層）など、オブジェクトの各タイプに共通の情報と、オブジェクトが扇形である場合の中心角など、オブジェクトのタイプ毎の情報とが格納される。
特に、オブジェクトが文字列である場合、引数の１つとして文字列の値が格納される。図５の例では、行Ｌ１１１のオブジェクトは、図２の領域Ａ１１４内の識別情報に対応するオブジェクトであり、引数に文字列の値「Ｔ１２３０００２１１」が格納されている。また、行Ｌ１１２のオブジェクトは、図２の領域Ａ１１３内の識別情報に対応するオブジェクトであり、行Ｌ１１１の場合と同様、引数に文字列の値「Ｔ１２３０００２１１」が格納されている。
【００３６】
図２の例のように商品券等の印刷物を複数印刷する場合、引数値を変えることで、図２の例の識別情報及び金額のように印刷物毎に値を変えることができる。行Ｌ１１１の引数の値「Ｔ１２３０００２１１」は、潜像化対象画像を示すパラメータ値の例に該当する。ここでいう潜像化対象画像とは、潜像として印刷される対象である。行Ｌ１１１の場合、この値「Ｔ１２３０００２１１」の文字列が潜像として印刷される。この値を格納する「引数」欄は、対象パラメータ領域の例に該当する。
【００３７】
但し、記憶部１８０が記憶する印刷用データのデータ構造は、図５に例示するデータ構造に限らない。プリンタ２００が印刷を実行可能であり、かつ、潜像として印刷されるパラメータ値を書き換え可能であればよい。
なお、記憶部１８０が、対象パラメータ領域を他の引数の格納領域を区別したデータを記憶するようにしてもよい。
【００３８】
図６は、対象パラメータ領域が明示されたデータ構造の例を示す図である。図６では、記憶部１８０が記憶する印刷用データのうち、１つのオブジェクトのデータ領域を示している。図６の例では、記憶部１８０は、オブジェクトのタイプとして値が可変な文字列と値が固定の文字列を区別して記憶している。図６は、値が可変な文字列のオブジェクトのデータ領域を示している。値が可変な文字列のオブジェクトの場合、図５の例の場合の「タイプ」欄、「色」欄及び「引数」欄に加えてさらに「パラメータ」欄が設けられている。このパラメータの欄には、文字列の値が格納される。色「欄」の値が潜在画像を示す場合、「パラメータ」欄は対象パラメータ領域の例に該当し、「パラメータ」欄の値は、潜像化対象画像を示すパラメータ値の例に該当する。
図６の例のように、記憶部１８０が、対象パラメータ領域を明示的に記憶することで、印刷制御装置１００が、パラメータ値のユーザ入力を支援することができる。例えば、プリンタ２００が印刷用データの画像の印刷を繰り返す毎に、印刷制御装置１００が表示部１２０にポップアップウィンドウを表示してパラメータ値のユーザ入力を促すようにしてもよい。
【００３９】
制御部１９０は、印刷システム１の各部を制御して各種処理を実行する。制御部１９０は、例えば印刷制御装置１００が備えるＣＰＵ（Central Processing Unit）が記憶部１８０からプログラムを読み出して実行することで構成される。
印刷用データ取得部１９１は、印刷用データを取得し、記憶部１８０に記憶させる。上述したように、印刷用データ取得部１９１が取得する印刷用データは、対象パラメータ領域を含む。対象パラメータ領域は、潜像化対象画像（潜像として印刷される画像）を示すパラメータ値を格納する領域である。
【００４０】
印刷用データ取得部１９１が、通信部１１０を介して記憶デバイス又は他のコンピュータなど他の機器から印刷用データを取得するようにしてもよい。あるいは、印刷用データ取得部１９１が、表示部１２０を制御して描画用画面を表示させ、操作入力部１３０が受ける描画操作に基づいて印刷用データを取得するようにしてもよい。あるいは、印刷用データ取得部１９１が、通信部１１０と表示部１２０と操作入力部１３０とを組み合わせて用いて印刷用データを取得するようにしてもよい。例えば、印刷用データ取得部１９１が、通信部１１０を介して記憶デバイス又は他のコンピュータなど他の機器から印刷用データを取得し、得られた印刷用データに基づく画像を表示部１２０に表示させ、この画像を修正するユーザ操作に基づいて印刷用データを修正するようにしてもよい。
【００４１】
パラメータ値取得部１９２は、印刷用データのうちパラメータ領域に格納するデータを取得する。ここでいうパラメータ領域は、値が可変となっている領域である。パラメータ領域に格納するデータの値をパラメータ値とも称する。
パラメータ値取得部１９２は、特に、前記対象パラメータ領域に設定されるパラメータ値を複数取得する。パラメータ値取得部１９２が、通信部１１０を介して記憶デバイス又は他のコンピュータなど他の機器からパラメータ値を取得するようにしてもよい。あるいは、図６を参照して説明したように、プリンタ２００が印刷用データの画像の印刷を繰り返す毎に、パラメータ値取得部１９２が表示部１２０にポップアップウィンドウを表示させてパラメータ値のユーザ入力を促すなど、表示部１２０及び操作入力部１３０を用いてパラメータ値を取得するようにしてもよい。あるいは、パラメータ値取得部１９２が、通信部１１０と表示部１２０と操作入力部１３０とを組み合わせて用いてパラメータ値を取得するようにしてもよい。
【００４２】
印刷制御部１９３は、プリンタ２００を制御して画像を印刷させる。特に、印刷制御部１９３は、印刷制御部の例に該当し、パラメータ値取得部１９２が取得したパラメータ値毎に、当該パラメータ値を対象パラメータ領域に格納した印刷用データに基づいて印刷を行う。
プリンタ２００は、印刷制御部１９３の制御に従って各種画像を印刷する。特に、プリンタ２００は、印刷部の例に該当し、パラメータ値取得部１９２が取得したパラメータ値毎に、当該パラメータ値を対象パラメータ領域に格納した印刷用データに基づいて印刷を行う。
【００４３】
プリンタ２００は、潜像領域及び背景領域のうちいずれか一方を、複写機が複写可能な大きさよりも小さい点画像の集合体で印刷し、もう一方を、複写機が複写可能な大きさの点画像の集合体で印刷することで画像の潜像化を行う。
例えば、プリンタ２００は、潜像領域及び背景領域のうちいずれか一方を、複写機が複写可能な大きさよりも小さい点画像の集合体にて誤差拡散法（Error Diffusion）を用いて印刷し、もう一方を、複写機が複写可能な大きさの点画像による網点にて印刷する。
【００４４】
図７は、プリンタ２００が潜像領域及び背景領域に印刷するパタンの例を示す図である。図７は、プリンタ２００による印刷を拡大した例を示しており、１ミリメートル（ｍｍ）相当の長さの例が示されている。
領域Ａ３１１は、背景領域の例に該当し、領域Ａ３１２は、潜像領域の例に該当する。図７の例では、潜像部分が白抜けする例を示しており、領域Ａ３１１には比較的大きい点画像による網点が印刷されている。具体的には、点画像Ｐ３１１のように領域Ａ３１１に示される点画像は、複写機が複写可能な大きさの点画像であり、例えば０．２ミリメートル程度の大きさで一定間隔の網点画像を形成する。
一方、領域Ａ３１２には比較的小さい点画像が誤差拡散法で印刷されている。具体的には、点画像Ｐ３１２にように領域Ａ３１２に示される点画像は、複写機が複写可能な大きさよりも小さい点画像であり、例えば０．０１ミリメートル未満の点画像の集合体を形成する。
【００４５】
図８は、印刷システム１が用いる誤差拡散法における誤差の拡散係数の例を示す図である。
誤差拡散法では、設定された画素値と実際に印刷された画素値との差を誤差として算出し、得られた誤差を未処理の隣接画素へ伝播させる。ここでいう画素は、画素値が設定される個々の領域であり、印刷の処理の際に最小単位の領域として扱われる。また、ここでの誤差（設定された画素値と実際に印刷された画素値との差）は、プリンタ２００の解像度等の原因で生じる。
【００４６】
例えば、図８の画素Ｃ１１における画素値「０．３」に対して、プリンタ２００の解像度で印刷可能な画素値が「０」又は「１」であり、画素Ｃ１１の画素値を「０」に丸めた場合、印刷制御部１９３は、設定された画素値「０．３」から印刷での画素値「０」を減算して誤差を「０．３」と算出する。
また、図８では、印刷制御部１９３が、１行内の画素を左から右へ走査し、上の行から下の行へと順に走査するラスタスキャンにて各画素における印刷の画素値を算出する例を示している。印刷制御部１９３が、画素Ｃ１１の画素値を算出したタイミングで未処理の隣接画素は画素Ｃ１２〜Ｃ１５であり、印刷制御部１９３は、図８に示す係数で誤差を隣接画素に分配する。例えば、印刷制御部１９３は、画素Ｃ１２に設定されている画素値に対して、画素Ｃ１１での誤差「０．３」に係数「７／１６」を乗算した約０．１３を加算する。
【００４７】
印刷システム１が用いる誤差拡散法では、印刷された画素値の複数の画素における平均値を、設定された画素値の平均値に近づけることができ、設定された色に近い色で印刷を行うことができる。これにより、潜像領域と背景領域との色の差（見た目上の色の差）を小さくすることができ、原本で潜像を目立たなくすることができる。
【００４８】
記憶部１８０は、潜像領域の色と背景画像領域の色との組み合わせを予め複数記憶しておく。ユーザは、記憶部１８０が記憶している組み合わせの中からいずれかを選択する。
この色の組み合わせ（特に、点画像の大きさの違いを吸収する濃度の組み合わせ）は、例えば実験にて予め求めておく。この色の組み合わせは、プリンタインクの特性、印刷に用いる紙の色及び質、点画像の大きさ等の要因に依存するが、例えば実験で以下の組み合わせが好適であった。
【００４９】
（１）  背景色がグレーの場合、潜像領域の濃度を９〜１３の範囲内に設定し、背景領域の濃度を５．５６とする。例えば、潜像領域の濃度を１０とし、背景領域の濃度を５．５６とする。
（２）  背景色がシアンの場合、潜像領域の濃度を１０〜１４の範囲内に設定し、背景領域の濃度を１０とする。例えば、潜像領域の濃度を１３とし、背景領域の濃度を１０とする。
（３）  背景色がマゼンタの場合、潜像領域の濃度を１０〜１４の範囲内に設定し、背景領域の濃度を５．５６、６．２５、又は８．３３のいずれかとする。例えば、潜像領域の濃度を１１とし、背景領域の濃度を６．２５とする。
【００５０】
（４）  背景色がレッドの場合、潜像領域の濃度を６〜１０の範囲内に設定し、背景領域の濃度を５．５６、６．２５又は８．３３のいずれかとする。例えば、潜像領域の濃度を７とし、背景領域の濃度を６．２５とする。
（５）  背景色がグリーンの場合、潜像領域の濃度を９〜１２の範囲内に設定し、背景領域の濃度を１０又は１２．５のいずれかとする。例えば、潜像領域の濃度を１０とし、背景領域の濃度を１０とする。
（６）  背景色がブルーの場合、潜像領域の濃度を４〜７の範囲内に設定し、背景領域の濃度を５．５６とする。例えば、潜像領域の濃度を５とし、背景領域の濃度を５．５６とする。
【００５１】
また、印刷システム１が潜像にする情報は、図２〜図４を参照して説明した識別情報及び金額に限らない。例えば、印刷システム１が、金額に代えてクーポンの値引き金額又は割引率を潜像で印刷するなど、クーポン券による特典内容を潜像で印刷するようにしてもよい。
あるいは、印刷システム１が、図２の領域Ａ１１５に示される有効期限のように、印刷物の有効期限を潜像で印刷するようにしてもよい。あるいは、印刷システム１が、印刷物の印刷年月日（印刷物が生産された日付）を潜像で印刷するようにしてもよい。
【００５２】
あるいは、印刷システム１が、くじの当たり又は外れを潜像で印刷するようにしてもよい。
図９は、印刷システム１が印刷したくじの原本を複写機で複写した例を示す図である。原本を領域Ａ４１０、Ａ４２０、Ａ４３０の各々に切り離し、線Ｌ４１１で谷折りにして中身の記載が見えないようにしてくじを作る。
図９の領域Ａ４１１の「アタリ！！」の画像、及び、領域Ａ４２１の「ハズレ・・・」の画像などの白抜けの画像は原本では潜像化されている。
このように、印刷システム１がくじの結果を潜像で印刷することで、くじの結果の改ざんを検出できる可能性が高くなる。
あるいは、印刷システム１が、文字列に代えてバーコードを潜像で印刷するようにしてもよい。この場合のバーコードは一次元のバーコードであってもよいし、二次元バーコードであってもよい。
【００５３】
次に、図１０を参照して印刷システム１の動作について説明する。
図１０は、印刷システム１が画像の印刷を行う処理手順の例を示すフローチャートである。
図１０の処理で、印刷用データ取得部１９１は、画像用データを取得する（ステップＳ１０１）。上述したように、印刷用データ取得部１９１が、通信部１１０を介して他の機器から印刷用データを取得するようにしてもよいし、操作入力部１３０が受ける描画操作に基づいて印刷用データを取得するようにしてもよい。あるいは、印刷用データ取得部１９１が、通信部１１０と表示部１２０と操作入力部１３０とを組み合わせて用いて印刷用データを取得するようにしてもよい。印刷用データ取得部１９１が取得する印刷用データには、潜像化対象画像を示すパラメータ値を格納する対象パラメータ格納領域が設けられている。
【００５４】
また、パラメータ値取得部１９２は、潜像化対象画像を示すパラメータ値を複数取得する（ステップＳ１０２）。パラメータ値取得部１９２は、画像用データを用いて印刷する印刷物の数だけパラメータ値を取得する。上述したようにパラメータ値取得部１９２が、通信部１１０を介して他の機器からパラメータ値を取得するようにしてもよい。あるいは、プリンタ２００が印刷用データの画像の印刷を繰り返す毎に、パラメータ値取得部１９２が表示部１２０にポップアップウィンドウを表示させてパラメータ値のユーザ入力を促すなど、表示部１２０及び操作入力部１３０を用いてパラメータ値を取得するようにしてもよい。あるいは、パラメータ値取得部１９２が、通信部１１０と表示部１２０と操作入力部１３０とを組み合わせて用いてパラメータ値を取得するようにしてもよい。
パラメータ値取得部１９２が、パラメータ値を取得するタイミングは、印刷用データ取得部１９１が印刷用データを取得した後、かつプリンタ２００が印刷用データに基づいて画像を印刷する前であってもよい。あるいは、印刷用データ取得部１９１が印刷用データを取得しているときパラメータ値取得部１９２がパラメータ値を取得するようにしてもよい。
【００５５】
プリンタ２００は、印刷制御部１９３の制御に従って画像を印刷する（ステップＳ１０３）。プリンタ２００は、パラメータ値取得部１９２が取得したパラメータ値毎に、当該パラメータ値を対象パラメータ領域に格納した印刷用データに基づいて印刷を行う。
例えば、印刷用データ取得部１９１が、印刷用データをコピーし、得られた複数の印刷用データの各々の対象パラメータ領域にパラメータ値を格納するようにしてもよい。
あるいは、印刷制御部１９３が、印刷用データを用いてプリンタ２００に印刷を繰り返し行わせ、プリンタ２００が印刷を行う毎にパラメータ値を更新するようにしてもよい。
ステップＳ１０３の後、図１０の処理を終了する。
【００５６】
以上のように、印刷用データ取得部１９１は、潜像化対象画像を示すパラメータ値を格納する対象パラメータ領域を含む印刷用データを取得する。パラメータ値取得部１９２は対象パラメータ領域に設定されるパラメータ値を複数取得する。また、印刷制御部１９３は、得られたパラメータ値毎に、当該パラメータ値を対象パラメータ領域に格納した印刷用データに基づいてプリンタ２００に印刷を行わせる。プリンタ２００は、印刷制御部１９３の制御に従って印刷を行う。そして、プリンタ２００は、印刷制御部１９３の制御に従って、潜像領域及び背景領域のうちいずれか一方を、複写機が複写可能な大きさよりも小さい点画像の集合体の印刷で行い、もう一方を、複写機が複写可能な大きさの点画像の集合体の印刷で行うことによる潜像化を行う。
【００５７】
このように、印刷システム１がパラメータ値（可変な値）を潜像にて印刷することで、印刷物毎に異なる値を潜像にて印刷することができる。潜像は、実像よりも改ざんが困難であり、印刷システム１が潜像を印刷することで原本の改ざんに対する抑止力となる。
例えば、印刷システム１が、印刷物の識別情報を潜像で印刷するようにしてもよいし、印刷物の有効期限又は印刷年月日を潜像で印刷するようにしてもよい。あるいは、印刷システム１が、金券の金額（額面）を潜像で表示するようにしてもよいし、クーポン券の割引率又は値引き額などクーポン券による特典内容を潜像で印刷するようにしてもよい。あるいは、印刷システム１が、くじの結果（当たり／外れを）潜像で印刷するようにしてもよい。また、印刷システム１が、バーコードを潜像で印刷するようにしてもよい。
【００５８】
また、印刷システム１が、同一内容を潜像と実像との両方で印刷するようにしてもよい。これにより、実像への改ざんなど印刷物の改ざんに対する抑止的効果を得られ、かつ、原本を見る者は、実像を参照して記載内容を把握することができる。
【００５９】
また、印刷システム１が情報を潜像画像にて印刷することで、原本では当該情報の表示を目立ちにくくすることができ、原本のデザイン性を高めることが可能である。
このように、潜像画像の印刷によって複写の検出だけでなく、原本に対する改ざんの検出やデザイン性の向上が可能である。この点で、印刷システム１によれば、原本では目立たない画像が複写物で出現する印刷に、より柔軟性を持たせることができる。
【００６０】
また、印刷システム１は、複写機が複写可能な大きさよりも小さい点画像の集合体の印刷を誤差拡散法で行い、複写機が複写可能な大きさの点画像の集合体の印刷を網点の印刷で行う。
これにより、潜像画像と背景画像との色の差を小さくすることができ、原本で潜像画像を目立たなくすることができる。また、誤差拡散法及び網点の印刷のいずれも比較的簡単に実行可能であり、印刷制御装置１００の負荷が比較的小さくて済む。
【００６１】
また、印刷システム１では、実像及び潜像の各々が個別に印刷物毎に異なる内容の印刷を行うことができる。
また、印刷システム１では、プリンタ２００が印刷を行うので、従来のオフセット印刷のような専用版を必要としない。すなわち、印刷システム１では、汎用性のある無版印刷が可能である。
また、印刷システム１では、背景色は特定の色に限定されない。例えば、ユーザは、複数の背景色のうちいずれかを選択することができる。
このように、印刷システム１では、特別な資材及び装置を必要とせず、小ロットかつ低コストで潜像を含む画像を印刷することができる。
なお、プリンタ２００のタイプは特定のタイプに限定されない。例えば、プリンタ２００がレーザプリンタであてもよいしインクジェットプリンタであってもよい。
【００６２】
なお、制御部１９０の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【００６３】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００６４】
１  印刷システム
１００  印刷制御装置
１１０  通信部
１２０  表示部
１３０  操作入力部
１８０  記憶部
１９０  制御部
１９１  印刷用データ取得部
１９２  パラメータ値取得部
１９３  印刷制御部
２００  プリンタ
【図１】
2018020501.tif 000003
【図２】
2018020501.tif 000004
【図３】
2018020501.tif 000005
【図４】
2018020501.tif 000006
【図５】
2018020501.tif 000007
【図６】
2018020501.tif 000008
【図７】
2018020501.tif 000009
【図８】
2018020501.tif 000010
【図９】
2018020501.tif 000011
【図１０】
2018020501.tif 000012